(57)【要約】【課題】フレキシブルプリント基板と光学素子との剥離を防ぐとともに光学素子を安定して高い位置精度で光学基台に保持し、光ディスクの記録再生の信頼性が高い光ピックアップおよび光ディスクドライブ装置を提供する。【解決手段】受光素子２１と、受光素子２１を保持する受光素子ホルダー２２と、受光素子ホルダー２２を保持する光学基台１１と、一方が光学基台１１に実装され他方が受光素子２１に電気的に接続されたフレキシブルプリント基板２３とを備え、フレキシブルプリント基板２３は受光素子２１と接続した接続部からさらに延伸して設けた端部２３ａを有し、かつ、端部２３ａを受光素子ホルダー２２に支持固定している。【選択図】図２
2010267325.tif 000002
【特許請求の範囲】
【請求項１】
受光素子と、前記受光素子を保持する受光素子ホルダーと、前記受光素子ホルダーを保持する光学基台と、一方が前記光学基台に実装され他方が前記受光素子に電気的に接続されたフレキシブルプリント基板とを備え、前記フレキシブルプリント基板は前記受光素子と接続した接続部からさらに延伸して設けた端部を有し、かつ、前記端部を前記受光素子ホルダーに支持固定したことを特徴とする光ピックアップ。
【請求項２】
前記フレキシブルプリント基板を延伸して設けた前記端部に切り欠き部を設けるとともに前記受光素子ホルダーに前記切り欠き部と係合する突起部を有するスリットを設け、前記切り欠き部を前記スリットに挿入固定したことを特徴とする請求項１に記載の光ピックアップ。
【請求項３】
受光素子と、前記受光素子を保持する受光素子ホルダーと、前記受光素子ホルダーを保持する光学基台と、一方が前記光学基台に実装され他方が前記受光素子に電気的に接続されたフレキシブルプリント基板とを備え、前記フレキシブルプリント基板は前記受光素子と接続した接続部からさらに延伸して設けた端部を有し、かつ、前記端部と前記受光素子ホルダーとを固定した光ピックアップを備えたことを特徴とする光ディスクドライブ装置。
【発明の詳細な説明】
【技術分野】
【０００１】
本発明は、光ディスクなどの光学式情報記録媒体に情報信号を記録もしくは再生するための光ピックアップ、および光ピックアップを用いた光ディスクドライブ装置に関する。
【背景技術】
【０００２】
ディスク回転駆動装置により回転される光ディスクの信号面に光を入射して、この光ディスクに記録されている情報信号を読み取る手段、または光ディスクに情報を書き込む手段として、光ピックアップが用いられている。
【０００３】
光ピックアップは、対物レンズの駆動用アクチュエーターと、この駆動用アクチュエーターを収容する光学基台とを備えている。駆動用アクチュエーターは、半導体レーザーなどの発光素子から出射されるレーザー光を光ディスクの信号面に集光させる対物レンズを磁気的な駆動力によりフォーカス方向およびトラッキング方向の２軸方向に変位させる機能を有し、レーザー光を光ディスクの信号面に集光して記録トラックに沿って正確に当てることができる。光学基台は、対物レンズやその駆動用アクチュエーターなどの光学部品や制御部品を収納するとともに送り方向に沿って直線的に移動できるようになっている。
【０００４】
半導体レーザーから出射されたレーザー光を適切なパワーで光ディスクの信号面に精度良く照射するために、フォトダイオードなどの受光素子が用いられる。フォトダイオードは、ビームスプリッターで分光されたレーザー光を検出して電流値に変換することで、レーザー光の制御を行う。フォトダイオードなどの受光素子はフレキシブルプリント基板により光学基台に収納された制御部品と電気的に接続されている。
【０００５】
図４は従来の光ピックアップの受光素子２１を含む受光部の断面図である。受光素子２１は接着剤２６により受光素子ホルダー４２に保持されており、受光素子ホルダー４２は接着剤２５により光学基台１１に保持されている。フレキシブルプリント基板４３は一端が光学基台１１の制御部品に実装され（図示せず）、他端が受光素子２１にハンダ２４により電気的に接続されている。
【０００６】
受光素子２１は光ディスクに照射するレーザー光の位置やパワーの制御にかかわるものであるから、受光素子２１の光学基台１１への取り付け位置精度は、光ピックアップの性能に重要な影響を与える。これまで受光素子２１の取り付け位置精度を安定して確保する方法が種々検討され開示されている。
【０００７】
特許文献１には、受光素子を実装した回路基板などの光学素子を、やや浮かせた状態で光学基台に対して接着固定するにあたって、光学素子を光学基台から隙間をあけて高い位置精度をもって接着する機能を、チクソ性の高い富フィラー型接着剤に担わせる一方、接着力が弱く、かつ、浮きが発生しやすいという富フィラー型接着材剤の欠点を、粘度の低い貧フィラー型接着剤で補う光ヘッド装置の製造方法が開示されている。
【０００８】
また、特許文献２には、光学基台と光検出器との接着固定部分において、フレームの側面に接着剤を溜める接着剤保持用凹部が形成された光ヘッド装置が開示されている。この光ヘッド装置では、接着剤保持用凹部の内部に未硬化の光硬化性の接着剤を所定量だけ塗布すると、接着剤は形が揃った状態になるので、光検出器を正確な位置に固定することができる。
【０００９】
また、特許文献３には、受光素子を含む光学モジュールが光軸を挟む少なくとも２箇所に光学基台との接着面を有し、光学基台の接着面に対向する位置に光学モジュールとの接着面を有している構造が開示されている。光学モジュールおよび光学基台の各々の接着面にそれぞれ溝部を設けて接着面積を大きくすることで、フレキシブル基板による応力が常に加えられた状態でも、十分な接着強度を得ることができる。
【先行技術文献】
【特許文献】
【００１０】
【特許文献１】特開２００４−１０７５８号公報
【特許文献２】特開２００１−２９１２７２号公報
【特許文献３】特開２００６−６５９４３号公報
【発明の概要】
【発明が解決しようとする課題】
【００１１】
一般に、光ピックアップは、薄型化、小型化により、限られたスペースに収められて使用されている。このため、光学素子との信号の伝達には、自在に折り曲げて使用できるフレキシブルプリント基板が多く用いられるが、フレキシブルプリント基板４３を折り曲げると、図４の矢印Ｂに示すような反発力が生じる。このため、フレキシブルプリント基板４３とハンダ２４の間に強い引っ張り応力がかかり接続部が剥離するという課題が発生する。さらには、受光素子２１と受光素子ホルダー２２とを固定する接着剤２６や、受光素子ホルダー４２と光学基台１１とを固定する接着剤２５などにも応力がかかり、接着剤２５や接着剤２６の強度が不十分となり光学素子の取り付け位置精度を十分に確保できないという課題がある。
【００１２】
特許文献１に記載の技術は、富フィラー型接着剤の周囲を貧フィラー型接着剤で補強接着することにより、接着力が弱く、かつ、浮きが発生しやすいという富フィラー型接着剤の欠点を補うものである。しかし、光学素子とフレームとの接着面の多くを接着力の低い富フィラー型接着剤が占有するため、上述したようなフレキシブルプリント基板による応力が常に加えられた状態では、十分な接着強度を得ることができない。この結果、温度変動などにより、光学素子に位置ずれが発生し、性能が劣化する場合がある。また、富フィラー型接着剤の硬化後に貧フィラー型接着剤を塗布する必要があるため、作業性が悪いといった課題を有している。
【００１３】
また、特許文献２に記載の技術は、光検出器の接着剤との接着面が平坦であるため、特許文献１に記載の技術と同様に、上述したようなフレキシブルプリント基板による応力が常に加えられた状態では、十分な接着強度を得ることができない。この結果、光検出器に位置ずれが発生し、性能が劣化するといった課題を有している。
【００１４】
また、特許文献３に記載の技術は、光検出器の接着剤との接着面に溝があるため、接着面積を大きくすることで十分な接着強度を確保しているが、光軸方向でのみ光検出器と光学基台の接着を行っているため、片持ち梁構造となる。そのため、上述したようなフレキシブルプリント基板による応力が常に加えられた状態では、非接着側に変位が生じ、この結果、性能が劣化するといった課題を有している。
【００１５】
本発明は上記課題を解決して、フレキシブルプリント基板と光学素子との剥離を防ぐとともに光学素子を安定して高い位置精度で光学基台に保持し、光ディスクの記録再生の信頼性が高い光ピックアップおよび光ディスクドライブ装置を提供することを目的とする。
【課題を解決するための手段】
【００１６】
上述した目的を達成するために、本発明の光ピックアップは、受光素子と、受光素子を保持する受光素子ホルダーと、受光素子ホルダーを保持する光学基台と、一方が光学基台に実装され他方が受光素子に電気的に接続されたフレキシブルプリント基板とを備え、フレキシブルプリント基板は受光素子と接続した接続部からさらに延伸して設けた端部を有し、かつ、端部を受光素子ホルダーに支持固定している。
【００１７】
このような構成によれば、フレキシブルプリント基板を延長した端部と受光素子ホルダーとを固定することで、フレキシブルプリント基板の曲げにより発生する応力を低減させることができる。そのため、フレキシブルプリント基板と光学素子との剥離を防ぐとともに光学素子を安定して高い位置精度で光学基台に保持し、光ディスクの記録再生の信頼性が高い光ピックアップおよび光ディスクドライブ装置を実現することができる。
【００１８】
さらに、フレキシブルプリント基板を延伸して設けた端部に切り欠き部を設けるとともに受光素子ホルダーに切り欠き部と係合する突起部を有するスリットを設け、切り欠き部をスリットに挿入固定してもよい。このような構成によれば、フレキシブルプリント基板を延長した端部と受光素子ホルダーとを簡単に固定することができる。
【００１９】
また、本発明の光ディスクドライブ装置は、受光素子と、受光素子を保持する受光素子ホルダーと、受光素子ホルダーを保持する光学基台と、一方が光学基台に実装され他方が受光素子に電気的に接続されたフレキシブルプリント基板とを備え、フレキシブルプリント基板は受光素子と接続した接続部からさらに延伸して設けた端部を有し、かつ、端部を受光素子ホルダーに支持固定した光ピックアップを備えている。
【００２０】
このような構成によれば、光ディスクの記録再生が高精度に安定してできる信頼性の高い光ディスクドライブ装置を実現することができる。
【発明の効果】
【００２１】
以上のように、本発明によれば、フレキシブルプリント基板を延長した端部と受光素子ホルダーとを固定することで、フレキシブルプリント基板の曲げにより発生する応力を低減させることができる。そのため、フレキシブルプリント基板と光学素子との剥離を防ぐとともに光学素子を安定して高い位置精度で光学基台に保持し、光ディスクの記録再生の信頼性が高い光ピックアップおよび光ディスクドライブ装置を実現することができる。
【図面の簡単な説明】
【００２２】
【図１】本発明の実施の形態における光ピックアップを用いた光学式情報記録再生装置としての光ディスクドライブ装置を示す斜視図である。
【図２】本発明の実施の形態における光ピックアップの受光部を示す断面図である。
【図３】図２におけるＡ方向矢視図である。
【図４】従来の光ピックアップの受光部を示す断面図である。
【発明を実施するための最良の形態】
【００２３】
以下、本発明の実施の形態について、図面を参照しながら説明する。
【００２４】
（実施の形態）
図１は、本発明の実施の形態における光ピックアップを用いた光学式情報記録再生装置としての光ディスクドライブ装置を示す斜視図である。図１において、光ディスクドライブ装置３０は、トラバースベース３１と、トラバースベース３１上に設置された駆動台３２と、駆動台３２に固定された２本のシャフト３３ａ、３３ｂと、２本のシャフト３３ａ、３３ｂに貫通され軸方向に移動可能に構成された光ピックアップ１０と、トラバースベース３１に設置されたスピンドルモーター３４と、スピンドルモーター３４により回転するモーターシャフト３５とを備えている。モーターシャフト３５の端部はカートリッジ３６に内蔵された光ディスク３７の中心部に連結されていて、スピンドルモーター３４の回転により光ディスク３７が回転する構成となっている。光ディスク３７はカートリッジ３６により保護されているが、カートリッジ３６には開口部３６ａが形成されていて、開口部３６ａでは光ディスク３７が外部に露呈されている。
【００２５】
光ピックアップ１０は、光学基台１１と、光学基台１１に支持された半導体レーザー素子（図示せず）を内包する光学パッケージ１３と、半導体レーザー素子からの出射レーザー光１９ａと光ディスク３７からの反射レーザー光１９ｂとを分離するビームスプリッター１４と、出射レーザー光１９ａを平行光にするコリメーターレンズ１５と、コリメーターレンズ１５を通り立上げミラー１６により上方に折り曲げられたレーザー光を光ディスク３７の情報記録面に焦点を合わせるための対物レンズ１７と、対物レンズ１７を光ディスク３７に対してフォーカス方向またはトラッキング方向に駆動させるアクチュエーター１８と、光ディスク３７で反射され立上げミラー１６、コリメーターレンズ１５を経由してビームスプリッター１４で分離された反射レーザー光１９ｃを検出するよう光学基台１１に実装された受光部２０とを備えている。
【００２６】
駆動台３２に固定された２本のシャフト３３ａ、３３ｂのうちの１つのシャフト３３ａは、光ピックアップ１０のベースとなる光学基台１１を軸方向に案内するものである。また、もう１つのシャフト３３ｂは、支持台のモーター３８により、その軸を中心として回転する構成となっている。シャフト３３ｂには、光学基台１１に係合する送りネジが形成されており、シャフト３３ｂが回転することで、光ピックアップ１０が光ディスク３７の半径方向に移動する。光ディスク３７の回転をスピンドルモーター３４で調整し、光ピックアップ１０を光ディスク３７の半径方向に移動する。その結果、対物レンズ１７を介して出射される出射レーザー光１９ａを、光ディスク３７の情報記録面における所定の位置に照射することができる。出射レーザー光１９ａを、光ディスク３７の情報記録面に照射することで光ディスク３７に記録マークを記入し情報の記録を行う。また、出射レーザー光１９ａを情報記録面に照射し、これから反射した反射レーザー光１９ｃを受光部２０で検出することにより情報の再生を行う。
【００２７】
図２は本発明の実施の形態における光ピックアップ１０の受光部２０を、光軸を含む垂直面で切断した断面図であり、図３は図２におけるＡ方向矢視図である。
【００２８】
図２、図３において、受光素子２１は接着剤２６により受光素子ホルダー２２に固定され、受光素子ホルダー２２は紫外線硬化型の接着剤２５により光学基台１１に固定されている。受光素子ホルダー２２と光学基台１１は亜鉛やアルミニウムやマグネシウムを主成分としたダイカストにより製造されている。光学基台１１と受光素子ホルダー２２には反射レーザー光１９ｃを受光素子２１に通すための導光穴１１ａ、２２ａが形成されている。フレキシブルプリント基板２３は一端が光学基台１１に実装され（図示せず）、他端が受光素子２１にハンダ２４により電気的に接続されている。フレキシブルプリント基板２３は接続部からさらに延伸して設けた端部２３ａを有し、かつ、端部２３ａを受光素子ホルダー２２に形成したスリット２２ｂに挿入して支持固定している。
【００２９】
図３に示すように、フレキシブルプリント基板２３の端部２３ａには切り欠き部２３ｂが形成され、受光素子ホルダー２２には切り欠き２３ｂに係合する突起部２２ｃが形成されている。フレキシブルプリント基板２３の端部２３ａをスリット２２ｂに挿入することで、切り欠き部２３ｂと突起部２２ｃが引っかかり固定される。
【００３０】
なお、図２に示すように、フレキシブルプリント基板２３の上部は、フレキシブルプリント基板カバー２７により押えられて光学基台１１に固定されている。
【００３１】
このように、フレキシブルプリント基板２３の端部２３ａを受光素子ホルダー２２に固定することで、フレキシブルプリント基板２３がその弾性による復元力で元に戻ろうとする力を打ち消すことができる。このためフレキシブルプリント基板２３の曲げにより発生する応力を大幅に低減させることができ、フレキシブルプリント基板２３と受光素子２１との剥離を防ぐことができる。さらに、受光素子２１と受光素子ホルダー２２とを接着接合する接着剤２６や、受光素子ホルダー２２と光学基台１１とを接着接合する接着剤２６にかかる応力も低減することで、受光素子２１を安定して高い位置精度で光学基台１１に保持することができる。そのため、光ディスクの記録再生の信頼性が高い光ピックアップ１０および光ディスクドライブ装置３０を実現することができる。
【００３２】
また、本発明の実施の形態によれば、フレキシブルプリント基板２３の端部２３ａをスリット２２ｂに挿入するだけで、簡単に支持固定することができる。
【００３３】
次に、受光部２０の組み立て方法について詳細に説明する。まず、フレキシブルプリント基板２３と受光素子２１をハンダ２４で電気的に接続する。次に、受光素子２１と受光素子ホルダー２２とを接着剤２６で固定する。次に、フレキシブルプリント基板２３の端部２３ａをスリット２２ｂに挿入して固定する。次に、受光素子ホルダー２２と光学基台１１との間に紫外線硬化型の接着剤２５を塗布して貼り合わせる。次に、調整治具（図示せず）を用いて受光素子ホルダー２２をチャックして、受光素子２１の位置が光学的特性から最適な位置となるように受光素子ホルダー２２の３次元位置調整を行う。その後、塗布した紫外線硬化型の接着剤２５に紫外線を照射して硬化することで、受光素子ホルダー２２と光学基台１１とを接着固定する。
【００３４】
なお、本実施の形態ではフレキシブルプリント基板２３の端部２３ａと受光素子ホルダー２２とを固定する手段として、フレキシブルプリント基板２３に設けた切り欠き部２３ｂと受光素子ホルダー２２に設けた突起部２２ｃを用いた。しかしながら、これ以外にフレキシブルプリント基板２３の端部２３ａに設けた穴とこれに係合する受光素子ホルダー２２に設けたピンなどを用いてもよいし、フレキシブルプリント基板２３の端部２３ａを受光素子ホルダー２２に固定するネジなど公知の固定手段を用いてもよい。
【００３５】
なお、本実施の形態では光学素子が受光素子である場合について説明したが、光学素子が発光素子であっても同様の作用効果を有する。
【００３６】
以上述べたように本発明の光ピックアップおよび本発明の光ディスクドライブ装置によれば、フレキシブルプリント基板を延長した端部と受光素子ホルダーとを固定することで、フレキシブルプリント基板の曲げにより発生する応力を低減させることができる。その結果、フレキシブルプリント基板と光学素子との剥離を防ぐとともに光学素子を安定して高い位置精度で光学基台に保持し、光ディスクの記録再生の信頼性が高い光ピックアップおよび光ディスクドライブ装置を実現することができる。
【産業上の利用可能性】
【００３７】
本発明の光ピックアップおよび本発明の光ディスクドライブ装置は、受光素子を安定して高い位置精度で保持でき信頼性が高いので、高い信頼性が必要とされる大容量の光ディスクからの読み出しや高倍速記録を行う光ディスクドライブ装置に広く有用である。
【符号の説明】
【００３８】
１０    光ピックアップ
１１    光学基台
１１ａ，２２ａ    導光穴
１３    光学パッケージ
１４    ビームスプリッター
１５    コリメーターレンズ
１６    立上げミラー
１７    対物レンズ
１８    アクチュエーター
１９ａ    出射レーザー光
１９ｂ，１９ｃ    反射レーザー光
２０    受光部
２１    受光素子
２２    受光素子ホルダー
２２ｂ    スリット
２２ｃ    突起部
２３    フレキシブルプリント基板
２３ａ    端部
２３ｂ    切り欠き部
２４    ハンダ
２５，２６    接着剤
２７    フレキシブルプリント基板カバー
３０    光ディスクドライブ装置
３１    トラバースベース
３２    駆動台
３３ａ，３３ｂ    シャフト
３４    スピンドルモーター
３５    モーターシャフト
３６    カートリッジ
３６ａ    開口部
３７    光ディスク
３８    モーター
【図１】
2010267325.tif 000003
【図２】
2010267325.tif 000004
【図３】
2010267325.tif 000005
【図４】
2010267325.tif 000006